【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
オンライン逆オークション方法であって、以下の段階を含む方法：
購買者から情報を受信して提案要請（request for proposal）を作成する段階；
販売者のアクセス用ウェブサイトに提案要請を書き込む段階；
提案要請の応答として少なくとも1人の販売者によって提示された少なくとも1つの言い値を、ウェブサイトを介して販売者および購買者に表示する段階；ならびに
言い値の1つを受諾する通知を受信する段階。
【請求項２】
購買者から情報を受信して提案要請を作成する段階が以下の段階を含む、請求項1記載の方法：
サービス区分（category）を受信する段階；
提案要請へのアクセスの開始日を受信する段階；
区間（segment）の数を受信する段階；および
提案要請へのアクセスの満了日を受信する段階。
【請求項３】
購買者から情報を受信して提案要請を作成する段階が以下の段階をさらに含む、請求項2記載の方法：
サービス区分として飛行機旅行を受信する段階；
出発空港および到着空港の情報を受信する段階；および
旅行の日付を受信する段階。
【請求項４】
提案要請に対する言い値の詳細を表示する段階をさらに含む、請求1記載の方法。
【請求項５】
購買者の過去の旅行データの記録を受信し、記録をウェブサイトに書き込む段階をさらに含む、請求項1記載の方法。
【請求項６】
購買者から情報を受信して提案要請を作成する段階が以下の段階を含む、請求項5記載の方法：
過去の旅行データ記録全体、記録から選択された複数のデータ、および記録から選択された1つのデータのうち1つを受信して提案要請を作成する段階。
【請求項７】
購買者の過去の旅行データの記録を受信する段階が以下の段階を含む、請求項5記載の方法：
出発都市および到着都市を受信する段階；
出発都市と到着都市との間を旅行するのに用いる航空会社を受信する段階；
特定の航空会社における特定の販路（market）を移動する片道旅行の数の合計を受信する段階；
旅行情報の予想される変更を受信する段階；
特定の航空会社における販路の区間コストの合計を受信する段階；ならびに
航空会社における販路を移動する、区間当たりのサービスのクラスを示す情報を受信する段階。
【請求項８】
購買者と、受諾された言い値を提示した販売者との電子契約書を作成する段階をさらに含む、請求項1記載の方法。
【請求項９】
購買者および販売者から申込みを受信して入札を交渉する段階をさらに含む、請求項1記載の方法。
【請求項１０】
申込みを受信する段階が、反対申込み（counteroffer）を受信する段階を含む、請求項9記載の方法。
【請求項１１】
受信された申込みを拒絶すると、入札の交渉が停止する、請求項9記載の方法。
【請求項１２】
受信された反対申込みを拒絶すると、入札の交渉が停止する、請求項10記載の方法。
【請求項１３】
オンライン逆オークション方法であって、以下の段階を含む方法：
データベース内で提案要請を検索する段階；
提案要請にアクセスする段階；
提案要請の応答として第1の言い値を受信する段階；
提案要請の応答として受信された他の言い値を表示する段階；および
提案要請を提示した当事者がある言い値を受諾したときに、当事者に通知を送信する段階。
【請求項１４】
提案要請に対する言い値の詳細を表示する段階をさらに含む、請求項13記載の方法。
【請求項１５】
言い値の詳細を表示する段階が以下の段階のうちの少なくとも1つを含む、請求項1記載の方法：
言い値のランクを表示する段階；
言い値のステータスを表示する段階；
言い値を提示す供給者を表示する段階；
価格を表示する段階；
店頭購買価格に対する値引き（discount off the point of sale purchase price）を表示する段階；
キャッシュバック情報を表示する段階；
アップグレード情報を表示する段階；
貸方に記入される（credited）マイル数を表示する段階；
言い値の満了日を表示する段階；
区間の数を表示する段階；
予想される旅行の総数に対する割合として区間を表示する段階；および
収益率を表示する段階。
【請求項１６】
販売者がその他の言い値を検討した後で最初の言い値を更新する段階をさらに含む、請求項13記載の方法。
【請求項１７】
提案要請を提示した当事者から反対申込みを受信する段階をさらに含む、請求項13記載の方法。
【請求項１８】
提案要請を検索する段階が以下の段階を含む、請求項13記載の方法：
都市の組み合わせ（city pair）、 空港コード、区間の数、サービスのクラス、旅行開始日および終了日、提案要請の開始日および満了日、ならびに提案要請番号を含む検索基準を受信する段階。
【請求項１９】
利用可能な提案要請をした販売者を検索する段階をさらに含む、請求項13記載の方法。
【請求項２０】
利用可能な提案要請をした購買者を検索する段階が以下の段階を含む、請求項19記載の方法：
年間旅行費用、旅行代理店、購買者ID番号、予約代理店、代理店IATA番号、旅行費用の予想される変更、代替空港情報、および購買者の本社の所在地のうち少なくとも1つを含む検索基準を受信する段階。
【請求項２１】
提案要請にアクセスする段階が、購買者の名前を表示せずに一般的な購買者情報を表示する段階を含む、請求項13記載の方法。
【請求項２２】
提案要請にアクセスする段階が、購買者履歴情報を表示する段階を含む、請求項13記載の方法。
【請求項２３】
最初の言い値を受信する段階が、価格を受信する段階ならびに、以下の段階のうち少なくとも1つの段階を含む、請求項13記載の方法：
値引率を受信する段階；
割戻し（rebate）情報を受信する段階；
アップグレード情報を受信する段階；および
ボーナス申込みとして含まれるマイレージサービスのマイル数（frequent flyer miles）を受信する段階。
【請求項２４】
最初の言い値を受信する段階が以下の段階を含む、請求項13記載の方法：
申込みに関する収益の割合に関する情報を受信する段階；
区間に基づいた申込みからの所望の取引きの割合を受信する段階；
区間当たりの価格を受信する段階；および
購買者によって約定（commit）される区間の数を入力する段階。
【請求項２５】
言い値の詳細を表示する段階が以下の段階のうち少なくとも1つを含む、請求項14記載の方法：
言い値のランクを表示する段階；
言い値のステータスを表示する段階；
言い値を提示す供給者を表示する段階；
価格を表示する段階；
店頭購買価格に対する値引きを表示する段階；
キャッシュバック情報を表示する段階；
アップグレード情報を表示する段階；
貸方に記入されるマイル数を表示する段階；
言い値の満了日を表示する段階；
区間の数を表示する段階；
予想される旅行の総数に対する割合として区間を表示する段階；および
収益率を表示する段階。
【請求項２６】
オンライン逆オークションを行うシステムであって、以下の手段を含むシステム：
データベース中で提案要請を検索する手段；
提案要請にアクセスする手段；
提案要請の応答として第1の言い値を受信する手段；
提案要請の応答として受信された他の言い値を表示する手段；
提案要請に関する言い値の詳細を表示する手段；および
提案要請を提示した当事者が言い値を受諾したときに、当事者にID番号を送信する手段。
【請求項２７】
オンライン逆オークションを行うシステムであって、以下の手段を含むシステム：
購買者から情報を受信して提案要請を作成する手段；
販売者のアクセス用のウェブサイトに提案要請を書き込む手段；
提案要請の応答として少なくとも1人の販売者によって提示された少なくとも1つの言い値を、ウェブサイトを介して販売者および購買者に表示する手段；ならびに
言い値の1つを受諾する通知を受信する手段。
【請求項２８】
オンライン逆オークション方法を行う各段階を実行するコンピュータシステムであって、購買者から受信した情報に基づいて提案要請を作成し、販売者のアクセス用ウェブサイトに提案要請を書き込み、少なくとも1人の販売者によって提案要請に応答して提示された少なくとも1つの言い値を、ウェブサイトを介して販売者および購買者に示し、かつ言い値の1つに対する受諾の通知を受信するコンピュータシステム。
【請求項２９】
サービス区分を受信すること、提案要請に対するアクセスの開始日を受信すること、区間の数を受信すること、および提案要請に対するアクセスの満了日を受信することによって、提案要請を作成するための情報を購買者から受信する、請求項1記載のシステム。
【請求項３０】
サービス区分として飛行機旅行を受信すること、出発空港および到着空港に関する情報を受信すること、ならびに旅行日を受信することによって、提案要請を作成するための情報を購買者から受信する、請求項2記載のシステム。
【請求項３１】
提案要請に対する言い値の詳細を表示する、請求項1記載のシステム。
【請求項３２】
購買者の過去の旅行データの記録を受信し、記録をウェブサイトに書き込む、請求項1記載のシステム。